(57)【要約】  【課題】荷物を安定して載置させることができる椅子を提供する。  【解決手段】椅子であって、着座部と、脚部と、棚部と、を備える。着座部は、使用者が着座可能な着座面を有する。脚部は、が設置される設置対象物に設けられ、着座部を前後方向に関して略水平に移動可能に支持する。棚部は、着座部の下方に設けられ、着座部の前後方向の移動に伴って前後方向に移動する。脚部は、左右方向に関して、着座部の中央から左右のいずれか一方に偏った位置に設けられている。【選択図】図１
2020000652.tif 000002
【特許請求の範囲】
【請求項１】
椅子であって、
使用者が着座可能な着座面を有する着座部と、
当該椅子が設置される設置対象物に設けられ、前記着座部を前後方向に関して略水平に移動可能に支持する脚部と、
前記着座部の下方に設けられ、前記着座部の前後方向の移動に伴って前後方向に移動する棚部と、を備え、
前記脚部は、左右方向に関して、前記着座部の中央から左右のいずれか一方に偏った位置に設けられている、椅子。
【請求項２】
請求項１に記載の椅子であって、
前記棚部は、荷物を載置可能な載置領域が、左右方向に関して、前記着座部の中央を基準とした左右両側に亘って存在する、椅子。
【請求項３】
請求項１又は請求項２に記載の椅子であって、
前記脚部は、前後に並べて配置される前脚及び後脚を備え、
前記前脚は、上端部が前記着座部に回動可能に連結されると共に、下端部が前記設置対象物に回動可能に連結されており、
前記後脚は、上端部が前記着座部における前記前脚の上端部よりも後方において回動可能に連結されると共に、下端部が前記設置対象物における前記前脚の下端部よりも後方において回動可能に連結されている、椅子。
【請求項４】
請求項１から請求項３のいずれか１項に記載の椅子であって、
前記棚部は、前記着座部に連結されている、椅子。
【請求項５】
請求項４に記載の椅子であって、
前記棚部は、前記着座部に対して固定されている、椅子。
【請求項６】
請求項３に記載の椅子であって、
前記棚部は、前記前脚及び前記後脚の少なくともいずれか一方に連結されている、椅子。
【発明の詳細な説明】
【技術分野】
【０００１】
本開示は、荷物を載せることができる棚を有する椅子に関する。
【背景技術】
【０００２】
荷物を積載可能である椅子として、下記特許文献１には、着座部の下に棚部が設けられた椅子が提案されている。
【先行技術文献】
【特許文献】
【０００３】
【特許文献１】特開２０１７−０９９７５２号公報
【発明の概要】
【発明が解決しようとする課題】
【０００４】
上記特許文献１の椅子は、着座部自体は前後に移動させることで大きく傾斜角度が変化する。着座部の傾斜角度が変化すると、棚部と着座部との位置関係が大きく変化する。そのため、棚部への荷物の安定した載置が着座部の移動によって阻害されてしまう恐れがある。一方、仮に、棚部と着座部とが一体に構成されている椅子では、着座部の傾斜角度が大きくなると棚部の傾斜角度も大きくなり、荷物が滑り落ち易くなってしまう。
【０００５】
本開示の目的は、荷物を安定して載置させることができる椅子を提案することである。
【課題を解決するための手段】
【０００６】
本開示の一態様は、椅子であって、着座部と、脚部と、棚部と、を備える。着座部は、使用者が着座可能な着座面を有する。脚部は、当該椅子が設置される設置対象物に設けられ、着座部を前後方向に関して略水平に移動可能に支持する。棚部は、着座部の下方に設けられ、着座部の前後方向の移動に伴って前後方向に移動する。脚部は、左右方向に関して、着座部の中央から左右のいずれか一方に偏った位置に設けられている。
【０００７】
このような構成であれば、脚部が着座部を略水平に移動可能に支持するため、着座部が大きく傾斜した状態となることが抑制される。それにより、荷物を安定して載置させることができる。なぜならば、棚部の傾斜角度の変化が着座部の傾斜角度の変化と同じ椅子においては、棚部の傾斜角度が大きくなることが抑制される。また、棚部の傾斜角度の変化が着座部の傾斜角度の変化より小さい椅子においては、棚部と着座部の位置関係が着座部の傾斜角度の変化に伴って変化してしまい、それによって例えば荷物が着座部により押し出されて棚部から滑落してしまうことが抑制される。
【０００８】
本開示の一態様では、棚部は、荷物を載置可能な載置領域が、左右方向に関して、着座部の中央を基準とした左右両側に亘って存在してもよい。このような構成であれば、着座部の下方の空間を広く使って荷物を置くことができる。
【０００９】
本開示の一態様では、脚部は、前後に並べて配置される前脚及び後脚を備えてもよい。前脚は、上端部が着座部に回動可能に連結されると共に、下端部が設置対象物に回動可能に連結されていてもよい。後脚は、上端部が着座部における前脚の上端部よりも後方において回動可能に連結されると共に、下端部が設置対象物における前脚の下端部よりも後方において回動可能に連結されていてもよい。
【００１０】
このような構成であれば、前脚及び後脚を用いたリンク機構が構成されるため、着座部の傾斜角度の変化が抑制された略水平な移動が実現できる。
本開示の一態様では、棚部は、着座部に連結されていてもよいし、また、棚部は、着座部に対して固定されていてもよい。また、本開示の一態様では、棚部は、前脚及び後脚の少なくともいずれか一方に連結されていてもよい。
【図面の簡単な説明】
【００１１】
【図１】図１Ａが実施形態の椅子の正面図であり、図１Ｂが実施形態の椅子の右側面図であり、図１Ｃが実施形態の椅子の左側面図であり、図１Ｄが実施形態の椅子の背面図である。
【図２】図２Ａが、着座部が前方に移動した状態の椅子の右側面図であり、図２Ｂが、着座部が後方に移動した状態の椅子の右側面図である。
【図３】図３Ａが実施形態の椅子の平面図であり、図３Ｂが実施形態の椅子の底面図である。
【図４】変形例の椅子の右側面図であって、部分的に拡大した図である。
【図５】変形例の椅子の正面図である。
【発明を実施するための形態】
【００１２】
以下に本開示の実施形態を図面と共に説明する。
［１．実施形態］
［１−１．全体構成］
図１Ａ−図３Ｂに、本実施形態の椅子１を示す。椅子１は、着座部１１と、脚部１２と、棚部１３と、を備える。なお、本実施形態においては、前後、左右、上下などの方向を用いて各部の構成を説明する場合があるが、それらの方向は説明の便宜上用いているに過ぎず、椅子１の使用態様などを限定するものではない。なお左右の方向は、使用者が着座部に着座した状態を基準とした方向である。従って、図１Ｂに示した右側面図は、着座した使用者を基準として左側を示す図となっている。
【００１３】
［１−２．着座部］
着座部１１は、使用者が着座可能な着座面２１を有する。また着座部１１の後端部には、上方に延びる背凭れ２２が設けられていてもよい。着座部１１は本実施形態にて開示される形態に限定されることなく、着座面を有する限りにおいて様々な形態とすることができる。
【００１４】
［１−３．脚部］
脚部１２は、当該椅子１の設置面３に設けられ、着座部１１を支持している。設置面３が、設置対象物に相当する。設置対象物は、移動しない床面であってもよいが、移動する床や柱、又は移動体であってもよい。脚部１２は、座受３１と、客座３２と、前脚３３と、後脚３４と、を備えてもよい。この脚部１２は、図１Ａ及び図１Ｃに示されるように、その構成要素の全体が、左右方向に関して、着座部１１の中央から左側に偏った位置に設けられている。言い換えると、少なくとも脚部１２の主たる部分である客座３２、前脚３３、及び後脚３４は、左側に寄せられて配置されている。
【００１５】
座受３１は、着座部１１における着座面２１とは反対側の面である下側面に対して固定されている。座受３１には、第１前側軸４１と、第１前側軸４１よりも相対的に後方に配置される第１後側軸４２と、が設けられている。第１前側軸４１及び第１後側軸４２は左右方向に延びる軸である。
【００１６】
客座３２は、設置面３に固定される。客座３２には、第２前側軸４３と、第２前側軸４３よりも相対的に後方に配置される第２後側軸４４と、が設けられている。第２前側軸４３及び第２後側軸４４は、左右方向に延びる軸である。
【００１７】
前脚３３及び後脚３４は、前後に並べて配置される。前脚３３の上端部は第１前側軸４１に回動可能に連結される。前脚３３の下端部は第２前側軸４３に回動可能に連結される。後脚３４の上端部は第１後側軸４２に回動可能に連結される。後脚３４の下端部は第２後側軸４４に回動可能に連結される。即ち、前脚３３は、上端部が着座部１１に回動可能に連結されると共に、下端部が設置面３に回動可能に連結されている。また、後脚３４は、上端部が着座部１１における前脚３３の上端部よりも後方において回動可能に連結されると共に、下端部が設置面３における前脚３３の下端部よりも後方において回動可能に連結されている。
【００１８】
このような脚部１２は、着座部１１を前後方向に関して略水平に移動可能に支持する。脚部１２は、上述した第１前側軸４１、第１後側軸４２、第２前側軸４３、及び第２後側軸４４を軸として四節リンクを形成している。そのため、前脚３３及び後脚３４を第２前側軸４３及び第２後側軸４４を中心に前後揺動させたときに、座受３１は、設置面３からの高さを大きく変えることなく、緩やかな角度変化で前後に移動する。図２Ａ−２Ｂに示されるように、着座部１１を後方の位置から前方の位置に移動させたときに、第２前側軸４３を中心とした前脚３３の回転角度よりも、着座部１１の傾斜角度の変化が小さくなるように構成されている。
【００１９】
なお、脚部１２は少なくとも四節リンクを構成していれば、さらにリンク構成が変更可能であってもよい。例えば、第１前側軸４１と第１後側軸４２の間隔が可変に構成されていてもよい。
【００２０】
［１−４．棚部］
棚部１３は、図１Ａ−図３Ｂに示されるように、連結部５１と、載置板５２と、を備えてもよい。
【００２１】
連結部５１は、上下方向に延びる２つの柱状の部材を含む、全体としてＵ字型の部材である。連結部５１の下端には、載置板５２が固定されている。連結部５１の上端は、座受３１に固定されている。即ち、棚部１３は座受３１を介して着座部１１に対して固定されており、着座部１１と一体に変位動作する。
【００２２】
載置板５２は、荷物を載せることができる板であって、設置面３から上方に間隔を開けた位置において略水平に配置されている。この載置板５２が、荷物を載置可能な載置領域を構成する。載置板５２における連結部５１と反対側の端部には、荷物が落下することを防止する保護バー５３が設けられている。保護バー５３は、載置板５２よりも高い位置まで張り出している。
【００２３】
上記のように構成された棚部１３は、着座部１１の下方に設けられ、着座部１１の前後方向の移動に伴って前後方向に移動する。棚部１３は、図１Ａ及び図１Ｃに示されるように、上述した載置板５２により構成される載置領域が、左右方向に関して、着座部１１の中央を基準とした左右両側に亘って存在する。
【００２４】
［１−５．効果］
以上詳述した実施形態によれば、以下の効果が得られる。
（１ａ）本実施形態の椅子１は、脚部１２が左側に偏って配置されているため、着座部１１の中央に脚部が設けられる場合と比較して着座部１１の下方の空間が大きくなる。そのため椅子１では、着座部１１の下方の広い範囲で荷物を置くことができる。さらに、棚部１３は着座部１１と連動して前後に移動するため、常に棚部１３は着座部１１の下方に位置することとなる結果、椅子１の使用時に棚部１３が使用者の邪魔になりにくい。
【００２５】
加えて、椅子１では、脚部１２が着座部１１を略水平に移動可能に支持するため、着座部１１が大きく傾斜した状態となることが抑制される。そのため、着座部１１が大きく傾斜することに伴って棚部１３が大きく傾斜することが抑制され、荷物を安定して棚部１３に載置させることができる。
【００２６】
（１ｂ）椅子１では、載置板５２により構成される載置領域が左右両側に亘って存在するため、着座部１１の下方の広い範囲に荷物を載せることができ、着座部１１の下方の空間を有効利用することができる。
【００２７】
（１ｃ）椅子１では、脚部１２が前脚３３、後脚３４を用いた四節リンクを構成していることにより、着座部１１の略水平な前後移動を実現できる。
［２．その他の実施形態］
以上、本開示の実施形態について説明したが、本開示は、上記実施形態に何ら限定されることはなく、本開示の技術的範囲に属する限り種々の形態をとり得ることはいうまでもない。
【００２８】
（２ａ）上記実施形態では、脚部１２が四節リンクを構成することにより、着座部１１を前後方向に関して略水平に移動可能に支持する構成を例示した。しかしながら、着座部の略水平な移動を実現できる構成であれば上記の構成に限定されない。例えば、脚部は、前後に着座部をスライド移動させるスライド機構を備えていてもよい。
【００２９】
（２ｂ）上記実施形態では、棚部１３が着座部１１と一体に動作するように着座部１１に対して固定されている構成を例示した。しかしながら、棚部は着座部の前後移動に伴って移動可能であれば、上記の構成に限定されない。例えば、棚部は着座部に対して、１つ以上の部材を介して、着座部に連動して移動するように連結されていてもよい。
【００３０】
なお、着座部と棚部とが一体動作しない形で連結している場合には、着座部の前後移動に伴って傾斜角度が変化しても、棚部の傾斜角度は変化しない、或いは棚部の傾斜角度の変化が小さくなるように構成できる。このような場合においては、着座部の傾斜角度の変化が抑制されることで、棚部と着座部の位置関係が棚部の傾斜角度の変化に伴って変化してしまい、それによって例えば荷物が着座部により載置領域から押し出されてしまうことが抑制される。
【００３１】
また例えば、図４に示される椅子９１のように、棚部９２は、上述した前脚３３及び後脚３４に連結されていてもよい。この場合、椅子９１は前脚３３に設けられた軸９３と後脚３４に設けられた軸９４とを備えており、棚部９２の連結部９５が軸９３及び軸９４それぞれと回動可能に連結している。なお、軸９２及び軸９３の少なくとも一方は、連結部９５に設けられた長穴９６に挿入されている。これにより、連結部９５は前脚３３及び後脚３４の前後揺動に伴う軸９２と軸９３の間の距離の変化を受け入れることができる。
また、棚部は、前脚３３及び後脚３４のいずれか一方に連結されていてもよい。さらに、棚部は客座３２とも連結していてもよい。また棚部は、例えば下方に載置板を支持するローラー、タイヤなどを備えていてもよい。
【００３２】
（２ｃ）上記実施形態では、載置板５２により構成される載置領域が左右両側に亘って存在する構成を例示した。しかしながら、載置領域は着座部の左右中央を基準として左右いずれか一方にのみ設けられていてもよい。
【００３３】
（２ｄ）上記実施形態では、脚部１２全体が左側に偏った位置に設けられる構成を例示したが、必ずしも脚部の全体が左側に偏った位置に設けられていなくてもよい。脚部を構成する構成要素のうち、上下方向に関して、設置面３と着座部１１の間の少なくとも一部であって、荷物を置くことができる空間を広げることが可能な範囲において左側に偏っていてもよい。
【００３４】
例えば、座受３１や客座３２は左右方向の中央に設けられており、前脚３３、後脚３４に相当する部分のみが左側に偏在していてもよい。
また、図５に示される椅子１０１のように、棚部１０３の連結部１０５は、その上端部が左方向に逸れて着座部１１に固定されていてもよい。
【００３５】
（２ｅ）上記実施形態では、脚部１２が左側に偏って配置され、棚部１３が右側に配置される構成を例示したが、左右は逆に設けられていてもよい。
【符号の説明】
【００３６】
１…椅子、３…設置面、１１…着座部、１２…脚部、１３…棚部、２１…着座面、２２…背凭れ、３１…座受、３２…客座、３３…前脚、３４…後脚、４１…第１前側軸、４２…第１後側軸、４３…第２前側軸、４４…第２後側軸、５１…連結部、５２…載置板、５３…保護バー、９１…椅子、９２…棚部、９３…軸、９４…軸、９５…連結部、９６…長穴、１０１…椅子、１０３…棚部、１０５…連結部
【図１】
2020000652.tif 000003
【図２】
2020000652.tif 000004
【図３】
2020000652.tif 000005
【図４】
2020000652.tif 000006
【図５】
2020000652.tif 000007